(57)【要約】【課題】往復式電気かみそりにおいて、髭の剃り方向と髭の起毛方向に関係なく外刃への髭の導入性能を向上できる。【解決手段】往復式電気かみそり１は、髭を切断するための刃ヘッドブロック２と、刃ヘッドブロック２に連結されるグリップブロック３と備え、刃ヘッドブロック２は、髭が導入される多数の開口を形成した外刃２１と、外刃２１の内側に摺接する内刃２２とを有する。刃ヘッドブロック２は、肌接触面の垂直方向（図示Ｚ方向）を軸として首振り運動自在にグリップブロック３に連結されている。刃ヘッドブロック２が首振り運動自在であるため、外刃２１の肌に対する運動方向が髭の剃り方向とは関係なく変化し、これにより、剃り方向に対して９０°方向に寝ている髭や剃り方向に沿った方向に寝ている髭は、外刃２１の桟の下に潜り込むことがなく、外刃２１へ導入され易くなる。【選択図】図１
2006271494.tif 000002
【特許請求の範囲】
【請求項１】
髭を切断するための刃ヘッド部と、この刃ヘッド部に連結されるグリップ部とを備え、前記刃ヘッド部は、髭が導入される多数の開口を形成した外刃と、この外刃の内側に摺接する内刃と、この内刃を駆動する駆動源とを有する往復式電気かみそりにおいて、
前記刃ヘッド部は、肌接触面の垂直方向を軸として首振り運動自在に前記グリップ部に連結されていることを特徴とする往復式電気かみそり。
【請求項２】
前記刃ヘッド部は、肌への押付力の増減に伴って首振り運動する構造であることを特徴とする請求項１に記載の往復式電気かみそり。
【請求項３】
前記刃ヘッド部の首振り運動に肌が追従することを防止するための肌固定部材が設けられていることを特徴とする請求項１に記載の往復式電気かみそり。
【請求項４】
前記肌固定部材は、肌接触面の垂直方向に移動自在に設けられていることを特徴とする請求項３に記載の往復式電気かみそり。
【請求項５】
髭を切断するための刃ヘッド部と、この刃ヘッド部に連結されるグリップ部とを備え、前記刃ヘッド部は、髭が導入される多数の開口を形成した外刃と、この外刃の内側に摺接する内刃と、この内刃を駆動する駆動源とを有する往復式電気かみそりにおいて、
前記刃ヘッド部は、肌接触面の垂直方向を軸として軸周りを公転運動可能に前記グリップ部に連結されていることを特徴とする往復式電気かみそり。
【請求項６】
前記刃ヘッド部の公転運動の軌道は楕円軌道であることを特徴とする請求項５に記載の往復式電気かみそり。
【発明の詳細な説明】
【技術分野】
【０００１】
本発明は、髭が導入される開口を形成した外刃の内側に内刃を往復摺動させて髭剃りを行う往復式電気かみそりに関する。
【背景技術】
【０００２】
従来から、往復式電気かみそりは、早剃り性能の向上を目的として、外刃への髭の導入性能を上げるようにしたものが知られている（例えば、特許文献１乃至特許文献３参照）。特許文献１及び特許文献２に記載の往復式電気かみそりは、中央にスリット刃、外側にネット刃の３枚刃構成としたものにおいて、中央のスリット刃の外刃を動かすことにより肌を振動させ、ネット刃の外刃への髭の導入性能を向上させるものである。
【０００３】
また、特許文献３に記載の往復式電気かみそりは、内刃に摺接する外刃、外刃が取付けられる外刃取付枠、及びこれらの外側に設けられるネットカバーから成るネット刃組立品を保持枠に対して上下方向にフロート可能に保持してなる往復式電気かみそりであって、ネットカバーは、上下方向にフロート可能な状態で、保持枠により内刃の振動方向と平行な方向及び平面視で内刃の振動方向と直交する方向にそれぞれ保持されていると共に、外刃取付枠は、ネットカバーに対して相対的に駆動するように構成されている。このように構成することで、外刃が外刃取付枠と一緒に振動することにより、髭を効率良く捕らえて髭の導入性能を向上させるものである。
【特許文献１】特表２０００−５１３９７６号公報
【特許文献２】特表２００１−５０３２８７号公報
【特許文献３】特開２００２−１７７６６３号公報
【発明の開示】
【発明が解決しようとする課題】
【０００４】
しかしながら、上述した従来の往復式電気かみそりにおいては、髭の剃り方向と髭の起毛方向の関係について何ら考慮がなされておらず、剃り方向に対向して寝ている髭は外刃に導入され易いが、剃り方向に対して９０°方向に寝ている髭や剃り方向に沿った方向に寝ている髭は、外刃桟の下に潜り込んでしまうために外刃に導入され難く、外刃の振動によって髭の導入性能を向上させることができない。
【０００５】
本発明は、上記課題を解決するためになされたものであり、髭の剃り方向と髭の起毛方向に関係なく外刃への髭の導入性能を向上できる往復式電気かみそりを提供することを目的とする。
【課題を解決するための手段】
【０００６】
上記目的を達成するために請求項１の発明は、髭を切断するための刃ヘッド部と、この刃ヘッド部に連結されるグリップ部とを備え、刃ヘッド部は、髭が導入される多数の開口を形成した外刃と、この外刃の内側に摺接する内刃と、この内刃を駆動する駆動源とを有する往復式電気かみそりにおいて、刃ヘッド部は、肌接触面の垂直方向を軸として首振り運動自在にグリップ部に連結されているものである。
【０００７】
請求項２の発明は、請求項１に記載の往復式電気かみそりにおいて、刃ヘッド部は、肌への押付力の増減に伴って首振り運動する構造であるものである。
【０００８】
請求項３の発明は、請求項１に記載の往復式電気かみそりにおいて、刃ヘッド部の首振り運動に肌が追従することを防止するための肌固定部材が設けられているものである。
【０００９】
請求項４の発明は、請求項３に記載の往復式電気かみそりにおいて、肌固定部材は、肌接触面の垂直方向に移動自在に設けられているものである。
【００１０】
請求項５の発明は、髭を切断するための刃ヘッド部と、この刃ヘッド部に連結されるグリップ部とを備え、刃ヘッド部は、髭が導入される多数の開口を形成した外刃と、この外刃の内側に摺接する内刃と、この内刃を駆動する駆動源とを有する往復式電気かみそりにおいて、刃ヘッド部は、肌接触面の垂直方向を軸として軸周りを公転運動可能にグリップ部に連結されているものである。
【００１１】
請求項６の発明は、請求項５に記載の往復式電気かみそりにおいて、刃ヘッド部の公転運動の軌道は楕円軌道であるものである。
【発明の効果】
【００１２】
請求項１の発明によれば、刃ヘッド部は、肌接触面の垂直方向を軸として首振り運動自在にグリップ部に連結されているため、肌に対する外刃の運動方向が髭の剃り方向とは関係なく変化する。これにより、剃り方向に対して９０°方向に寝ている髭や剃り方向に沿った方向に寝ている髭は、剃り方向に対向して寝ている髭と同様の位置関係になる可能性が高くなり、外刃桟の下に潜り込むことがなく、外刃へ導入され易くなる。従って、髭の剃り方向と髭の起毛方向に関係なく、外刃への髭の導入性能が向上する。また、刃ヘッド部が肌上を首振り運動することにより、肌が引っ張られて、寝ている髭が起こされるため、外刃への髭の導入性能がより一層向上する。
【００１３】
請求項２の発明によれば、肌への押付力の増減に伴って刃ヘッド部が首振り運動する構造であるため、刃ヘッド部の首振り運動のための駆動源が不要であり、小型化、低コスト化になる。
【００１４】
請求項３の発明によれば、肌の一部が肌固定部材により固定されるため、肌が刃ヘッド部の運動に追従し難くなり、肌に対する外刃の運動方向変化が減少することがなく、外刃への髭の導入性能がより一層向上する。
【００１５】
請求項４の発明によれば、肌固定部材は肌接触面の垂直方向に移動自在であるため、肌の凹凸によって肌固定部材が肌に接触し難くなったり肌に強く押し付けられることがなく、適切に肌が固定され、これにより、外刃への髭の導入性能がより一層向上する。
【００１６】
請求項５の発明によれば、刃ヘッド部は、肌接触面の垂直方向を軸として軸周りを公転運動可能にグリップ部に連結されているため、肌に対する外刃の運動方向が髭の剃り方向とは関係なく変化する。これにより、剃り方向に対して９０°方向に寝ている髭や剃り方向に沿った方向に寝ている髭は、剃り方向に対向して寝ている髭と同様の位置関係になる可能性が高くなり、外刃桟の下に潜り込むことがなく、外刃へ導入され易くなる。従って、髭の剃り方向と髭の起毛方向に関係なく、外刃への髭の導入性能が向上する。また、刃ヘッド部が肌上を公転運動することにより、肌が引っ張られて、寝ている髭が起こされるため、外刃への髭の導入性能がより一層向上する。さらに、刃ヘッド部が公転運動することにより、刃ヘッド部が首振り運動するものと比較して軸付近での運動量が減少しないため、軸付近における髭の導入性能がより一層向上する。
【００１７】
請求項６の発明によれば、刃ヘッド部は楕円軌道で公転運動するため、鼻下等の狭い部分の髭を剃る場合でも、楕円軌道の短径方向で容易に髭を剃ることができ、使用性能が向上する。
【発明を実施するための最良の形態】
【００１８】
以下、本発明を具体化した実施形態による往復式電気かみそりについて図面を参照して説明する。
＜第１の実施形態＞
まず、第１の実施形態について説明する。図１（ａ）（ｂ）は、第１の実施形態に係る往復式電気かみそりの構成を示す。往復式電気かみそり１は、髭を切断するための刃ヘッド部である刃ヘッドブロック２と、手で持つグリップ部であるグリップブロック３とを備えており、刃ヘッドブロック２は、グリップブロック３に首振り運動自在に連結されている。また、往復式電気かみそり１は、刃ヘッドブロック１の首振り運動に肌が追従することを防止するための肌固定部材４を備えている。
【００１９】
刃ヘッドブロック２は、髭が導入される多数の開口を形成した外刃２１と、外刃２１の内側に摺接する内刃２２と、内刃２２を駆動する駆動源であるリニアモータ２３と、リニアモータ２３の駆動力を受け内刃２２を往復動させる駆動子２４と、リニアモータ２３を収納保持するヘッドケース２５と、外刃２１を支持する外刃ブロック２６とを有する。グリップブロック３には、メインスイッチ３１が設けられている。
【００２０】
このような構成の往復式電気かみそり１は、メインスイッチ３１をオンすることにより、リニアモータ２３が駆動され、リニアモータ２３の左右方向の振動が駆動子２４によって内刃２２に伝えられて、内刃２２が外刃２１の内側で往復摺動する。往復式電気かみそり１による髭剃りは、メインスイッチ３１をオンして内刃２２を動作させた状態で、外刃２１を図示Ｚ方向に肌に押し付けることにより、外刃２１の開口に導入された髭が内刃２２によりカットされて行われる。
【００２１】
刃ヘッドブロック２は、図示Ｚ方向（すなわち肌接触面の垂直方向）を軸として首振り運動自在にグリップブロック３に連結されており、肌固定部材４は、図示Ｚ方向に移動自在にグリップブロック３に支持されている。
【００２２】
図２は、刃ヘッドブロック２とグリップブロック３との連結構造、及び肌固定部材４の支持構造を示す。刃ヘッドブロック２は、上述の構成に加え、刃ヘッドブロック２とグリップブロック３を連結するためのネジ部材２７を有している。ネジ部材２７は、刃ヘッドブロック２のヘッドケース２５の下部に設けられており、ヘッドケース２５に固定されている。このネジ部材２７は、図示Ｚ軸方向に伸びている。また、刃ヘッドブロック２からは、リニアモータ２３を駆動するための駆動配線２８が引出されている。
【００２３】
グリップブロック３は、上述の構成に加え、刃ヘッドブロック２とグリップブロック３を連結するためのナット部材３２を有している。ナット部材３２は、刃ヘッドブロック２のネジ部材２７を回転自在に軸受けするものであり、グリップブロック３の上端に取付けられて固定される。
【００２４】
刃ヘッドブロック２は、ネジ部材２７をナット部材３２に螺合することにより、グリップブロック３に連結される。ネジ部材２７は、ナット部材３２に対して回転自在に緩く螺合される。ネジ部材２７の下端とナット部材３２の底との間には、コイルバネ６０が圧縮した状態で介在される。
【００２５】
このような刃ヘッドブロック２とグリップブロック３との連結構造によれば、刃ヘッドブロック２の外刃２１を肌に押し付けると、その押し付け力によって、ネジ部材２７が押し下げられて締まる方向に回転し、これにより、刃ヘッドブロック２が回転する。また、外刃２１を肌に押し付ける力を弱めると、コイルバネ６０の復元力によって、ネジ部材２７が押し上げられて緩む方向に回転し、これにより、刃ヘッドブロック２は逆回転して元の状態に戻る。従って、刃ヘッドブロック２は、外刃２１の肌への押付力の増減に伴って、図示Ｚ方向（すなわち肌接触面の垂直方向）を軸として首振り運動する。
【００２６】
また、グリップブロック３は、上述の構成に加え、肌固定部材４を支持するための肌固定部材受け３３を有している。肌固定部材受け３３は、グリップブロック３の上端に設けられており、肌固定部材４は、肌固定部材受け３３の溝部に挿入されて、その先端が刃ヘッドブロック２の外刃２１の位置（すなわち肌接触面）と略同じ高さになるように支持される。肌固定部材４の下端と肌固定部材受け３３の底との間には、コイルバネ６１が圧縮した状態で介在される。
【００２７】
このような肌固定部材４の支持構造によれば、肌固定部材４の先端を肌に押し付けると、その押し付け力によって、肌固定部材４が押し下げられる。また、肌固定部材４の先端を肌に押し付ける力を弱めると、コイルバネ６１の復元力によって、肌固定部材４が元の位置に戻る。従って、肌固定部材４は、肌固定部材４の先端の肌への押付力の増減に伴って、図示Ｚ方向（すなわち肌接触面の垂直方向）に移動する。
【００２８】
このような構成の往復式電気かみそり１によれば、刃ヘッドブロック２が肌接触面の垂直方向を軸として首振り運動自在であるため、髭剃り時に、外刃２１の肌に対する運動方向が髭の剃り方向とは関係なく変化する。これにより、髭の剃り方向に対して９０°方向に寝ている髭や剃り方向に沿った方向に寝ている髭は、剃り方向に対向して寝ている髭と同様の位置関係になる可能性が高くなり、外刃２１の桟の下に潜り込むことがなく、外刃２１へ導入され易くなる。従って、髭の剃り方向と髭の起毛方向に関係なく、外刃２１への髭の導入性能が向上する。また、刃ヘッドブロック２が肌上を首振り運動することにより、肌が引っ張られて、寝ている髭が起こされるため、外刃２１への髭の導入性能がより一層向上する。
【００２９】
しかも、髭剃り時に常に肌の一部が肌固定部材４に接触して固定されるため、肌が刃ヘッドブロック２の運動に追従し難くなり、肌に対する外刃２１の運動方向変化が減少することがなく、外刃２１への髭の導入性能がより一層向上する。また、肌固定部材４は肌接触面の垂直方向に移動自在であるため、肌の凹凸によって肌固定部材４が肌に接触し難くなったり肌に強く押し付けられることがなく、適切に肌が固定され、これにより、外刃２１への髭の導入性能がより一層向上する。
【００３０】
＜第２の実施形態＞
次に、第２の実施形態について説明する。図３は、第２の実施形態に係る往復式電気かみそりの構成を示す。本実施形態の往復式電気かみそり１は、刃ヘッドブロック２が図示Ｚ方向（すなわち肌接触面の垂直方向）を軸として軸周りを公転運動するようになっている。
【００３１】
刃ヘッドブロック２は、上記第１の実施形態におけるネジ部材２７（上記図２参照）に代えて、刃ヘッドブロック取付部材２９を有している。刃ヘッドブロック２の他の構成については、上記第１の実施形態と同様である。刃ヘッドブロック取付部材２９は、刃ヘッドブロック２のヘッドケース２５の下部に固定される。刃ヘッドブロック取付部材２９には、連結孔２９ａ、２９ｂが形成されている。
【００３２】
グリップブロック３は、上記第１の実施形態におけるナット部材３２（上記図２参照）に代えて、回転モータ３４と、モータ基台３５と、歯車３６、３７ａ、３７ｂと、ガイド部材３８とを有する。グリップブロック３の他の構成については、上記第１の実施形態と同様である。
【００３３】
回転モータ３４は、モータ基台３５に設置されて、グリップブロック３の上端に取付けられる。歯車３６は、回転モータ３４のモータ軸３４ａに固定されて、モータ軸と共に回転する。歯車３７ａ、３７ｂは、歯車３６の両側にモータ基台３５に回転自在に設けられて、各々、歯車３６に噛合される。歯車３７ａ、３７ｂには、各々、回転中心から離れた位置に偏芯軸３９ａ、３９ｂが圧入固定されている。歯車３７ａ、３７ｂは、歯車３６の回転により歯車３７ａ、３７ｂが回転しても、偏芯軸３９ａと偏芯軸３９ｂとの距離が変らないように設けられる。ガイド部材３８は、モータ基台３５に装着される。
【００３４】
本実施形態の往復式電気かみそり１では、刃ヘッドブロック２は、刃ヘッドブロック取付部材２９の連結孔２９ａ、２９ｂにグリップブロック３の偏芯軸３９ａ、３９ｂを挿入することにより、グリップブロック３に連結される。連結孔２９ａ、２９ｂ及び偏芯軸３９ａ、３９ｂの寸法は、偏芯軸３９ａ、３９ｂが連結孔２９ａ、２９ｂ内で滑らかに回転できる寸法になっている。また、刃ヘッドブロック２は、ガイド部材３８に設けられたガイド孔３８ａに両端を挿入することにより、脱落が防止される。ガイド孔３８ａの寸法は、刃ヘッドブロック取付部材２９がガイド孔３８ａで移動できる寸法になっている。
【００３５】
このような刃ヘッドブロック２とグリップブロック３との連結構造によれば、回転モータ３４を駆動すると、歯車３６、３７ａ、３７ｂが回転して、偏芯軸３９ａ、３９ｂが相互の距離を一定に保ったまま回転し、これにより、刃ヘッドブロック２は、図示Ｚ方向（すなわち肌接触面の垂直方向）を軸として軸周りを公転運動する。このとき、刃ヘッドブロック２の公転運動の起動は、モータ３４のモータ軸３４ａを中心とし、歯車３７ａの回転中心と偏芯軸３９ａとの距離（歯車３７ｂの回転中心と偏芯軸３９ｂとの距離でもある）を半径とする円軌道となる。
【００３６】
このような構成の往復式電気かみそり１によれば、刃ヘッドブロック２が肌接触面の垂直方向を軸として公転運動するため、髭剃り時に、外刃２１の肌に対する運動方向が髭の剃り方向とは関係なく変化する。従って、上記第１の実施形態と同様に、髭の剃り方向と髭の起毛方向に関係なく、外刃２１への髭の導入性能が向上する。また、刃ヘッドブロック２が肌上を公転運動することにより、肌が引っ張られて、寝ている髭が起こされるため、上記第１の実施形態と同様に、外刃２１への髭の導入性能がより一層向上する。さらに、刃ヘッドブロック２が公転運動することにより、刃ヘッドブロック２が首振り運動するものと比較して軸付近での運動量が減少しないため、軸付近における髭の導入性能がより一層向上する。
【００３７】
＜第３の実施形態＞
次に、第３の実施形態について説明する。図４は、第３の実施形態に係る往復式電気かみそりの構成を示す。本実施形態の往復式電気かみそり１は、刃ヘッドブロック２が楕円軌道で公転運動するようになっている。
【００３８】
刃ヘッドブロック２は、刃ヘッドブロック取付部材２９の連結孔２９ａ、２９ｂが長孔になっている。刃ヘッドブロック２の他の構成については、上記第１の実施形態と同様である。また、グリップブロック３の構成については、上記第１の実施形態と同様である。
【００３９】
本実施形態の往復式電気かみそり１では、刃ヘッドブロック２は、上記第２の実施形態と同様に、刃ヘッドブロック取付部材２９の連結孔２９ａ、２９ｂにグリップブロック３の偏芯軸３９ａ、３９ｂを挿入することにより、グリップブロック３に連結される。
【００４０】
このような刃ヘッドブロック２とグリップブロック３との連結構造によれば、刃ヘッドブロック２は、上記第２の実施形態と同様に図示Ｚ方向（すなわち肌接触面の垂直方向）を軸として軸周りを公転運動する。但し、刃ヘッドブロック２の公転運動の軌道は、モータ３４のモータ軸３４ａを中心とし、歯車３７ａの回転中心と偏芯軸３９ａとの距離（歯車３７ｂの回転中心と偏芯軸３９ｂとの距離でもある）を長径として、連結孔の長軸方向が短径方向となる楕円軌道になる。
【００４１】
このような構成の往復式電気かみそり１によれば、上記第２の実施形態と同様の作用効果に加えて、刃ヘッドブロック２が楕円軌道で公転運動するため、鼻下等の狭い部分の髭を剃る場合でも、刃ヘッドブロック２の楕円軌道の短径方向で容易に髭を剃ることができ、使用性能が向上する。
【図面の簡単な説明】
【００４２】
【図１】（ａ）は本発明の第１の実施形態に係る往復式電気かみそりの構成を示す斜視図、（ｂ）は同外刃ブロックを取外した状態の斜視図。
【図２】同往復式電気かみそりの刃ヘッドブロックとグリップブロックとの連結構造及び肌固定部材の支持構造を示す分解斜視図。
【図３】本発明の第２の実施形態に係る往復式電気かみそりの構成を示す分解斜視図。
【図４】本発明の第３の実施形態に係る往復式電気かみそりの構成を示す分解斜視図。
【符号の説明】
【００４３】
１    往復式電気かみそり
２    刃ヘッドブロック
３    グリップブロック
４    肌固定部材
２１    外刃
２２    内刃
２３    リニアモータ
２４    駆動子
２５    ヘッドケース
２６    外刃ブロック
２７    ネジ部材
２８    駆動配線
２９    刃ヘッドブロック取付部材
２９ａ、２９ｂ    連結孔
３１    メインスイッチ
３２    ナット部材
３３    肌固定部材受け
３４    回転モータ
３５    モータ基台
３６、３７ａ、３７ｂ    歯車
３８    ガイド部材
３９ａ、３９ｂ    偏芯軸
６０、６１    コイルバネ
【図１】
2006271494.tif 000003
【図２】
2006271494.tif 000004
【図３】
2006271494.tif 000005
【図４】
2006271494.tif 000006